(57)【要約】【課題】簡単に梱包でき、開封した痕跡を残せるだけでなく、持ち運びやすい収納容器を提供する。【解決手段】容器本体４と、把持部材５とを備える。容器本体４は、中空筒状の胴部１、胴部１の一端側開口部を閉鎖する底部２、及び、胴部１の他端側開口部を閉鎖する天井部３を有する。天井部３は、他端側開口部の縁から延びる第１延在部１７ｄ及び第２延在部１７ｂを有する。第１延在部１７ｄ又は第２延在部１７ｂのいずれか一方に先端部分を切り離すための分離部２５が形成されている。把持部材５は、取付部３１及び手で把持可能な把持部３０を有する。取付部３１は、第１延在部１７ｄ及び第２延在部１７ｂを他端側開口部から開放不能とする。取付部３１は、分離部２５が形成された延在部１７ｂ又は１７ｄでは分離部２５よりも先端側に取り付けられる。【選択図】図１
2017039508.tif 000002
【特許請求の範囲】
【請求項１】
（ａ）  中空筒状の胴部、
前記胴部の一端側開口部を閉鎖する底部、及び、
前記胴部の他端側開口部を閉鎖する天井部
を有し、
前記天井部は、前記他端側開口部の縁から延びる第１延在部及び第２延在部を有し、
前記第１延在部又は前記第２延在部のいずれか一方に先端部分を切り離すための分離部が形成された容器本体と、
（ｂ）  前記第１延在部及び前記第２延在部に取り付けられ、前記第１延在部及び前記第２延在部を前記他端側開口部から開放不能とし、かつ、前記分離部が形成された延在部では前記分離部よりも先端側に取り付けられる取付部、及び、
手で把持可能な把持部
を有する把持部材と、
を備えたことを特徴とする収納容器。
【請求項２】
前記第１延在部には第１貫通孔が形成されており、
前記第２延在部には、前記第１延在部に対して外面側に重なった状態で前記第１貫通孔に対応する位置に第２貫通孔が形成されており、
前記取付部は、前記第２貫通孔を介して前記第１貫通孔に挿通して抜止されることを特徴とする請求項１に記載の収納容器。
【請求項３】
前記胴部の他端側開口部は矩形状であり、
前記第１延在部は、前記他端側開口部の対向する一組の一辺から延在して前記他端側開口部を閉鎖する内蓋であり、
前記第２延在部は、前記他端側開口部の対向する一組の他辺から延在して少なくとも前記第１延在部の一部を覆う上蓋であることを特徴とする請求項２に記載の収納容器。
【請求項４】
前記第１貫通孔は、所定間隔で平行に形成された第１直線部と、前記第１直線部にそれぞれ交差して形成された第２直線部とで構成され、
前記取付部は、前記把持部の両端部から両側にそれぞれ延び、前記第１貫通孔の第１直線部を挿通して抜止されることを特徴とする請求項２又は３に記載の収納容器。
【請求項５】
前記容器本体は段ボールからなり、
前記第１延在部は、前記第１貫通孔を含む所定領域が他の部分よりも薄い薄肉部で構成されることを特徴とする請求項４に記載の収納容器。
【請求項６】
前記容器本体は、前記他端側開口部の対向する残り一組の各辺から延在する補助延在部をそれぞれ有することを特徴とする請求項２から５のいずれか１項に記載の収納容器。
【請求項７】
前記補助延在部は、前記容器本体とは折線部を介して連接され、内側に折り曲げ力が作用すると、前記折線部によって前記容器本体と所定角度をなして折れ曲がり、前記第１延在部で容器本体の他端側開口部を閉鎖する際、閉鎖位置まで折り曲げられることを特徴とする請求項６に記載の収納容器。
【発明の詳細な説明】
【技術分野】
【０００１】
本発明は、収納容器に関するものである。
【背景技術】
【０００２】
従来、箱体の開口縁の対向辺の一方に連接される内蓋と、他方に連接される上蓋とを有し、上蓋の差し込み片を内蓋の差し込み孔に差し込んで変形させて閉状態とし、上蓋に形成した開封手段を切り離すことなしに開封することができないようにした包装箱が公知である（例えば、特許文献１参照）。
【０００３】
しかしながら、前記従来の包装箱では持ち運びやすさを前提としては作製されておらず、単に梱包時に糊付けを必要とせず、開封した痕跡が明確に視認できるだけである。
【先行技術文献】
【特許文献】
【０００４】
【特許文献１】特開２０１３−１７７１５２号公報
【発明の概要】
【発明が解決しようとする課題】
【０００５】
本発明は、簡単に梱包でき、開封した痕跡を残せるだけでなく、持ち運びやすい収納容器を提供することを課題とする。
【課題を解決するための手段】
【０００６】
本発明は、前記課題を解決するための手段として、
中空筒状の胴部、前記胴部の一端側開口部を閉鎖する底部、及び、前記胴部の他端側開口部を閉鎖する天井部を有し、前記天井部は、前記他端側開口部の縁から延びる第１延在部及び第２延在部を有し、前記第１延在部又は前記第２延在部のいずれか一方に先端部分を切り離すための分離部が形成された容器本体と、
前記第１延在部及び前記第２延在部に取り付けられ、前記第１延在部及び前記第２延在部を前記他端側開口部から開放不能とし、かつ、前記分離部が形成された延在部では前記分離部よりも先端側に取り付けられる取付部、及び、手で把持可能な把持部を有する把持部材と、
を備えたことを特徴とする収納容器を提供する。
【０００７】
この構成により、容器本体の他端側開口部を第１延在部と第２延在部とで閉鎖し、そこに把持部材を取り付けるだけで、分離部で切り離さない限り、開封できないようにすることができる。つまり開封の痕跡を確実に残すことができる。また把持部材は第１延在部と第２延在部とに取り付けられており、取付状態を強固なものとすることができる。したがって、把持部を把持することにより安定した状態で容器本体を簡単に持ち運ぶことができる。
【０００８】
前記第１延在部には第１貫通孔が形成されており、
前記第２延在部には、前記第１延在部に対して外面側に重なった状態で前記第１貫通孔に対応する位置に第２貫通孔が形成されており、
前記取付部は、前記第２貫通孔を介して前記第１貫通孔に挿通して抜止されるのが好ましい。
【０００９】
この構成により、各延在部に貫通孔をそれぞれ形成しただけの簡単な構成で、これら貫通孔に把持部材の取付部を挿通して抜止することにより、容器本体の他端側開口部を閉鎖状態とすることができる。
【００１０】
前記胴部の他端側開口部は矩形状であり、
前記第１延在部は、前記他端側開口部の対向する一組の一辺から延在して前記他端側開口部を閉鎖する内蓋であり、
前記第２延在部は、前記他端側開口部の対向する一組の他辺から延在して少なくとも前記第１延在部の一部を覆う上蓋であるのが好ましい。
【００１１】
この構成により、内蓋となる第１延在部で容器本体の他端側開口部を閉鎖した状態で、上蓋となる第２延在部でその一部を覆い、把持部材の取付部を取り付けることにより、閉鎖状態を得ることができる。
【００１２】
前記第１貫通孔は、所定間隔で平行に形成された第１直線部と、前記第１直線部にそれぞれ交差して形成された第２直線部とで構成され、
前記取付部は、前記把持部の両端部から両側にそれぞれ延び、前記第１貫通孔の第１直線部を挿通して抜止されるのが好ましい。
【００１３】
この構成により、第１直線部に把持部の取付部を挿入しようとすると、第２直線部が第１直線部を構成する周辺部位を変形しやすくする。これにより、第１貫通孔に取付部を挿入しやすくなり、把持部材を装着容易とすることができる。特に、第１延在部は第２延在部によって覆われるため、第１貫通孔への挿入しやすさは重要である。
【００１４】
前記容器本体は段ボールからなり、
前記第１延在部は、前記第１貫通孔を含む所定領域が他の部分よりも薄い薄肉部で構成されるのが好ましい。
【００１５】
この構成により、薄肉部によって段ボールを構成する表裏面のライナ間に殆ど隙間が形成されないので、把持部材の取付部を第１貫通孔に挿入する際、ライナ間に取付部が進入することがなく、装着不良を発生させる恐れがない。
【００１６】
前記容器本体は、前記他端側開口部の対向する残り一組の各辺から延在する補助延在部をそれぞれ有するのが好ましい。
【００１７】
この構成により、容器本体の他端側開口部を第１延在部で閉鎖した際、補助延在部が第１延在部の容器本体内への落ち込みを抑制し、第１延在部による良好な閉鎖状態を得ることができる。また補助延在部は、容器本体内に通じる第１延在部との隙間を閉鎖する。
【００１８】
前記補助延在部は、前記容器本体とは折線部を介して連接され、内側に折り曲げ力が作用すると、前記折線部によって前記容器本体と所定角度をなして折れ曲がり、前記第１延在部で容器本体の他端側開口部を閉鎖する際、閉鎖位置まで折り曲げられるのが好ましい。
【００１９】
この構成により、折線部を利用して、予め補助延在部を内側に所定角度折り曲げておけば、第１延在部で容器本体の他端側開口部を閉鎖していくだけで、補助延在部をも同時に内側へと折り曲げることができる。したがって、作業性よく延在部による閉鎖を行うことが可能となる。
【発明の効果】
【００２０】
本発明によれば、容器本体の他端側開口部を閉鎖状態に維持するために、別途設けた把持部材の取付部を第１延在部と第２延在部とに取り付けるだけでよい。第１延在部のみならず第２延在部にも取り付けられているので、取付状態を強固なものとすることができる。そして、把持部材の把持部を把持することで、安定した状態で容器本体を簡単に持ち運ぶことができる。開封する場合、分離部を切り離す必要があり、開封の痕跡を残すことが可能である。
【図面の簡単な説明】
【００２１】
【図１】本実施形態に係る収納容器の斜視図である。
【図２】図１の収納容器の容器本体を形成するための段ボールの展開図である。
【図３】図２の段ボールの断面図である。
【図４】図２から底面部を折り曲げた状態を示す図である。
【図５】図４から両側の側面部を折り曲げた状態を示す図である。
【図６】図１に示す把持部材の断面図である。
【図７】図５から側面部を矩形筒状として胴部を形成した状態を示す斜視図である。
【図８】図７から上面部を折り曲げて胴部の上方開口部を閉鎖した状態を示す斜視図である。
【図９】図１に示す収納容器を４つ大型容器に収納した状態を示す斜視図である。
【発明を実施するための形態】
【００２２】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００２３】
図１は、本実施形態に係る収納容器の斜視図である。この収納容器は、胴部１、胴部の一端側開口部（底面）を閉鎖する底部２、及び、胴部の他端側開口部（上面）を閉鎖する天井部３からなる容器本体４と、天井部３に取り付けられる別体の把持部材５とで構成されている。
【００２４】
容器本体４は、段ボール紙を周知の紙器打抜装置（図示せず）によって、図２に示す一枚のブランクとして打ち抜き、所定部位を貼着することにより形成される。段ボール紙は、図３に示すように、表ライナ６及び裏ライナ７の間に、波状に連続する中しん８を配設した周知のものである。表ライナ６は、容器本体４の外面を構成し、収納物に関する内容等が印刷されている。裏ライナ７は、容器本体４の内面を構成する。
【００２５】
容器本体４の胴部１は、図２に示すように、４枚の側面部９ａ、９ｂ、９ｃ、９ｄを直列に連接したもので、各側面部９ａと９ｂ、９ｂと９ｃ、９ｃと９ｄの境界部分がそれぞれ折線部１０ａ、１０ｂ、１０ｃとなっている。折線部１０ａ、１０ｂ、１０ｃには折り曲げる内側に溝状の罫線が形成されている（以下、折線部と記載されていれば、このような罫線が形成された折り曲げ容易な構造を意味する。）。また一端側の側面部９ａの側辺には折線部１０ｄを介して糊代となる糊付片１１が連接されている。この糊付片１１を折線部１０ｄで折り曲げて他端側の側面部９ｄに糊付けし、折線部１０ａ、１０ｂ、１０ｃで折り曲げることにより側面部９ａ、９ｂ、９ｃ、９ｄは矩形筒状となる。
【００２６】
容器本体４の底部２は、各側面部９ａ、９ｂ、９ｃ、９ｄの下辺に折線部１０ｅ、１０ｆ、１０ｇ、１０ｈを介して連接される底面部１２ａ、１２ｂ、１２ｃ、１２ｄによって構成されている。底面部１２ａと底面部１２ｃとは同形状で、略三角形の底形成部１３と、その一辺から延びる貼付部１４とで構成されている。底形成部１３と貼付部１４との境界は折線部１０ｉ、１０ｊとなっており、図２では山折りされる。底面部１２ｂは略台形状で、折線部１０ｋによって三角形部１５が区画されている。三角形部１５の側辺には半円状の切欠き１６が形成されている。この切欠き１６に指を引っ掛けて引っ張ることにより、底面部１２ｂを折線部１０ｋで折り曲げ、三角形部１５を引き起こすことができるようになっている。底面部１２ｄは略台形状で、側面部９ｄの下辺からの突出寸法は底面部１２ｂのほぼ半分である。底面部１２ａの貼付部１４は、底面部１２ｂの三角形部１５を除く部分に糊付けされる。底面部１２ｃの貼付部１４は底面部１２ｄに糊付けされる。
【００２７】
容器本体４の天井部３は、各側面部９ａ、９ｂ、９ｃ、９ｄの上辺に折線部１０ｌ、１０ｍ、１０ｎ、１０ｏを介して連接した上面部１７ａ、１７ｂ、１７ｃ、１７ｄによって構成されている。
【００２８】
上面部１７ａ、１７ｃは、側面部９ａ、９ｃとの境界である折線部１０ｌ、１０ｎに沿った同形状の内フラップ（補助延在部）である。折線部１０ｌ、１０ｎの僅かに上方（上面部１７ａ、１７ｃの基部側）中央部にはスリット１８がそれぞれ形成されている。スリット１８の両端部は屈曲して折線部１０ｌ、１０ｎの位置まで延びている。これにより、折線部１０ｌ、１０ｎで上面部１７ａ、１７ｃを内側に折り曲げると、スリット１８によって形成された側面部９ａ、９ｃ側の上縁部が上面部１７ａ、１７ｃを傾斜状態に維持する（以下、スリット１８と記載された部分は同様な構成となっている。）。上面部１７ａ、１７ｃの一端側（上面部１７ｄ側）には斜めにカットされた傾斜部１９がそれぞれ形成されている。
【００２９】
上面部１７ｄは平面視略矩形状で、折線部１０ｐを挟んで先端側が折曲部２０となっている。折曲部２０の両端角部はＲ形状に形成されている。折曲部２０は、略直角に折り曲げられた状態で、胴部１の側面部９ｂの上端部分へと挿入され、胴部１の上方開口部を閉鎖する内蓋として機能する。上面部１７ｄの中央部には所定間隔で第１貫通孔２１が形成されている。各第１貫通孔２１は平面視Ｉ字形で、第１直線部２２と、その両端で直交する第２直線部２３とで構成されている。第２直線部２３は、第１直線部２２に比べて十分に短く、第１直線部２２に後述する把持部材５の取付部３１を挿入しやすくするために設けられている。すなわち、第１直線部２２に取付部３１を挿入すると、第１直線部２２の両側部が撓み、その開口面積を増大させる。第１直線部２２は、把持部材５の取付部３１の幅寸法よりも若干長く形成されている。第１貫通孔２１の周辺領域（図２中、斜線で示す矩形領域）はプレスされて厚さの薄くなった薄肉部２４となっている。第１貫通孔２１及び薄肉部２４は、段ボールをブランクとして打ち抜く際に同時に形成したり、後に形成したりすることができる。第１貫通孔２１は平面視Ｉ字形の左右均等な形状とすることでバランス良く打ち抜くことができる。しかも、第１貫通孔２１は、薄肉部２４をプレスした状態で打ち抜くことで、打ち抜き状態をより良好なものとすることができる。
【００３０】
上面部１７ｂは平面視略矩形状で、容器本体４の上方開口部の半分を超える約２／３を覆うように形成されて上蓋として機能する。上面部１７ｂの先端両側はＲ形状とされている。上面部１７ｂは分離部２５によって先端側半分を分離できるようになっている。分離部２５は、２列でミシン目を形成したもので、その一端側は上面部１７ｂの側辺からはみ出したタブ２６となっている。このタブ２６をつかんで引っ張れば、ミシン目に沿って分離部２５を切り離し、上面部１７ｂを先端側と基部側とに分離できるようになっている。また上面部１７ｂには、分離部２５によって切り離される、前記第１貫通孔２１に対応する位置に第２貫通孔２７がそれぞれ形成されている。各第２貫通孔２７の構成は、前記第１貫通孔２１とほぼ同じであるが、その第１直線部２８の長さは第１貫通孔２１よりも短く、把持部材５の取付部３１が挿通可能な必要最小限の値に設定されている。なお、第２直線部２９の長さは第２直線部２３と同じである。
【００３１】
把持部材５は、合成樹脂材料を成形加工することにより得られ、図６に示すように、把持部３０と、その両端部に設けられる取付部３１とで構成されている。
【００３２】
把持部３０は、一定幅で帯状に延び、後述するように手で把持した場合には円弧状に湾曲するようになっている。
【００３３】
取付部３１は、把持部３０の両端にその中央部を一体化される平板状に形成されている。取付部３１は、把持部３０と幅寸法がほぼ同じであり、常態においては把持部３０に沿っている。取付部３１は、前記上面部１７ｄの第１貫通孔２１に挿通されることにより、その両端部が第１貫通孔２１を構成する両側部に当接して抜止される。
【００３４】
前記構成からなる収納容器は、次のようにして組み立てられる。
すなわち、図２に示す１枚のブランクとして打ち抜かれた状態から、図４に示すように、折線部１０ｅ、１０ｆ、１０ｇ、１０ｈで底面部１２ａ、１２ｂ、１２ｃ、１２ｄを内側にそれぞれ折り曲げる。このとき、底面部１２ａ、１２ｃの貼付部１４をそれぞれ折り曲げておく。そして、矢印で示すように、側面部９ａ、９ｄを内側に折り曲げる。このとき、底面部１２ａの貼付部１４を底面部１２ｂに、底面部１２ｃの貼付部１４を底面部１２ｄにそれぞれ糊付けする（図中、糊付け部分を、斜線を施した円形で示す。）。また側面部９ａの糊付片１１を側面部９ｄに糊付けする。さらに上面部１７ｂの第２貫通孔２７に把持部材５の取付部３１をそれぞれ挿入し、把持部材５を取り付けることにより図５に示す状態となる。
【００３５】
このようにして組み立てられた収納容器では、折線部１０ａ、１０ｂ、１０ｃを折り曲げて側面部９ａ、９ｂ、９ｃ、９ｄを矩形筒状の胴部１とし、底面部１２を内側に曲げ戻して平坦な底部２とすることにより、図７に示すように、上方が開口した箱体形状となる。この状態では、各側面部９から上方に向かって同一平面内で上面部１７ａ、１７ｂ、１７ｃ、１７ｄが突出している。したがって、複数個の収納容器を隙間無く並設することができる。例えば、収納容器の上方を開口させた状態で、大型の箱に複数個をまとめて配置することが可能である。
【００３６】
収納容器には、上方より湿布、食品等を収納することができる。収納作業が完了すれば、上面部１７ａ、１７ｃを内側に折り曲げる。上面部１７ａ、１７ｃは、形成された罫線とスリット１８によって内側に押し込むだけで、図７中、２点鎖線で示すように、傾斜状態に維持される。そして、上面部１７ｄを内側に折り曲げて行くと、上面部１７ａ、１７ｃは一端側の傾斜部１９を押圧されながら、さらに内側へと折れ曲がる。上面部１７ｄの先端の屈曲部を折り曲げて胴部１の上方開口部内に挿入する（側面部９ｂの内面に沿わせる）。上面部１７ａ、１７ｃは予め傾斜させてあり、その一端側に傾斜部１９が形成されているので、上面部１７ｄの折り曲げにより上面部１７ａ、１７ｃを折り曲げつつ、図８に示すように、胴部１の上方開口部をスムーズに閉鎖することができる。この状態では、上面部１７ａ、１７ｃが上面部１７ｄの胴部１内への落ち込みを阻止し、側方から内部へのアクセスを制限する。
【００３７】
上面部１７ｄによって胴部１の上方開口部が閉鎖されれば、上面部１７ｂを折り曲げる。このとき、予め上面部１７ｂに取り付けてある把持部材５の取付部３１を、上面部１７ｂの第１貫通孔２１に挿入させる。第１貫通孔２１は、第１直線部２２とその両端の第２直線部２３とからなり、第１直線部２２の長さは挿入する取付部３１の幅寸法よりも若干大きく形成されている。しかも、第１貫通孔２１の周囲が薄肉部２４で構成されている。したがって、上面部１７ｄに対して上面部１７ｂを折り重ね、第１貫通孔２１が視認しにくい状態であっても、取付部３１を、段ボールの表ライナ６と裏ライナ７の間に進入することなく、スムーズに第１貫通孔２１内へと挿入することができる。そして、取付部３１が第１貫通孔２１を構成する両側内面に当接して抜止される。
【００３８】
このようにして組み立てられた収納容器では、図１に示すように、胴部１の上方開口部が上面部１７ｄによって閉鎖されている。そして、上面部１７ｄは上面部１７ｂと共に把持部材５によって接続されている。したがって、分離部２５を切り離さない限り、収容物を取り出すことができない。また把持部材５の把持部３０を掴めば、収納容器を片手で簡単に持ち運びすることができる。このとき、把持部材５は、上面部１７ｄ、１７ｂの両方に取り付けられている。このため、上面部１７ｂに分離部２５が形成されているにも拘わらず、十分な強度を有し、収納容器内の収納物が重いものであっても安心して持ち運ぶことが可能である。
【００３９】
収納容器から収納物を取り出す場合、分離部２５を切り離すことにより上面部１７ｄを開放すればよい。分離部２５が切り離さなければ開封することができないので、第三者による開封を痕跡として残すことができる。また分離部２５で切り離した後でも、上面部１７ｄによって胴部１の上方開口部を閉鎖することができる。
【００４０】
収容物を全て取り出した後は、底面部１２ｂを構成する三角形部１５を切欠き１６に指を引っ掛けて持ち上げる。そして、底面部１２ａ、１２ｂ、１２ｃ、１２ｄを曲げ起こす。これにより、使用後は簡単に、側面部９ａ、９ｄと９ｂ、９ｃとが重なった状態に折り畳むことができる。
【００４１】
なお、本発明は、前記実施形態に記載された構成に限定されるものではなく、種々の変更が可能である。
【００４２】
前記実施形態では、容器本体４を段ボールで形成するようにしたが、これに限らず、厚紙やプラスチック製の薄板等、他の材質や他の構造のもので構成してもよい。
【００４３】
前記実施形態では、容器本体４は組立状態で直方体形状となるようにしたが、これに限らず多角形又は円形の筒状等、他の形状としてもよい。また天井面が平面状となるように構成したが、山型等、他の形状であってもよい。
【００４４】
前記実施形態では、把持部材５の取付部３１を把持部３０の両端部に連続する板状の構成としたが、これに限らず、例えば傘状に広がるような構成とすることもできる。要は、把持部材５の取付部３１を容器本体４の上面部１７ｂ、１７ｄの双方に対して取り付けることができるのであれば、どのような構成であっても採用することが可能である。また第１貫通孔２１に取付部３１を取り付ける構成に限らず、接着剤等で固定するようにしても構わない。
【００４５】
前記実施形態では、第１貫通孔２１及び第２貫通孔２７を２箇所ずつ設けるようにしたが、１箇所ずつ、あるいは、３箇所ずつ以上設けるようにしてもよい。またこれら貫通孔２１、２７は、第１直線部２２の両端部に第２直線部２３が直交する構成としたが、これに限らず、第１直線部２２に対して少なくとも１箇所で交差する第２直線部２３が形成されることにより、貫通孔２１又は２７への把持部材５の取付部３１の挿入が容易となる構成であればよい。
【００４６】
前記実施形態では、分離部２５を２列のミシン目を有する構成としたが、単純に１列のミシン目を備えただけのものであってもよい。設ける位置も自由であり、折線部１０ｍに沿って設けることも可能である。但し、図２に示す位置に設けることにより、把持部材５を掴んで持ち運ぶ際等であっても、簡単には分離しにくい。また分離部２５は上面部１７ｄに形成するようにしてもよい。
【００４７】
前記実施形態では、収納容器に収納物を収納する場合について説明したが、さらにこの収納容器を複数個まとめて別の大型容器に収納することも可能である。例えば、図９に示すように、４つの収納容器３２を大型容器３３内に２行２列で収容することができる。この場合、各収納容器３２に把持部３０が設けられていなければ、隣接する収納容器３２の間や収納容器３２と大型容器３３の間に指を突っ込んで、収納容器３２を挟み込んだ状態で持ち上げる必要があるが、この取出作業は非常に困難である。これに対し、前記収納容器３２では把持部３０を設けられているため、この把持部３０を掴んで引き上げるだけで、収納容器３２を大型容器３３から容易に取り出すことができる。また、大型容器３３から収納容器３２を取り出す際、隙間無く収容されているため、収納容器３２同士や収納容器３２と大型容器３３との間の摩擦力が大きい。また、収容容器３２に収納している収納物の重量の影響もある。このため、把持部３０には大きな荷重が作用する。しかしながら、把持部３０は上面部１７ｂ及び１７ｄの両方に取り付けられており、十分な強度を有する。したがって、収納容器３２に対する把持部３０の接続部分が一方の上面部のみの場合のように、荷重が集中して破損しにくい。
【符号の説明】
【００４８】
１…胴部
２…底部
３…天井部
４…容器本体
５…把持部材
６…表ライナ
７…裏ライナ
８…中しん
９ａ〜９ｄ…側面部
１０ａ〜１０ｐ…折線部
１１…糊付片
１２ａ〜１２ｄ…底面部
１３…底形成部
１４…貼付部
１５…三角形部
１６…切欠き
１７ａ、１７ｃ…上面部（補助延在部）
１７ｂ…上面部（第２延在部）
１７ｄ…上面部（第１延在部）
１８…スリット
１９…傾斜部
２０…折曲部
２１…第１貫通孔
２２…第１直線部
２３…第２直線部
２４…薄肉部
２５…分離部
２６…タブ
２７…第２貫通孔
２８…第１直線部
２９…第２直線部
３０…把持部
３１…取付部
３２…収納容器
３３…大型容器
【図１】
2017039508.tif 000003
【図２】
2017039508.tif 000004
【図３】
2017039508.tif 000005
【図４】
2017039508.tif 000006
【図５】
2017039508.tif 000007
【図６】
2017039508.tif 000008
【図７】
2017039508.tif 000009
【図８】
2017039508.tif 000010
【図９】
2017039508.tif 000011